【手続補正書】
【提出日】平成30年7月24日(2018.7.24)
【手続補正１】
【補正対象書類名】特許請求の範囲
【補正対象項目名】全文
【補正方法】変更
【補正の内容】
【特許請求の範囲】
【請求項１】
コンピュータに実装された方法であって、
１つ以上の画像を受信することと、
前記受信された画像に基づいて、複数の着目点を識別することと、
前記複数の着目点に基づいて、複数の難読化データ点を生成することと、
前記複数の着目点のうちの１つ以上を用いて、前記複数の難読化データ点のうちの１つ以上にタグ付けすることであって、前記タグ付けすることは、前記複数の着目点のうちの１つをタグ付け関数への入力として提供することと、前記入力に応答して、タグ付けされるべき前記複数の難読化データ点のうちの１つを前記タグ付け関数からの出力として受信することとを含む、ことと、
前記タグ付けされた難読化データ点および前記複数の着目点のうちの少なくとも１つの部分集合を用いて、キーを生成しエンコードすることと、
前記複数の着目点および前記複数の難読化データ点に基づいて、難読化されたテンプレートを作成することと、
前記難読化されたテンプレートを記憶することと
を含む、方法。
【請求項２】
前記複数の難読化データ点は、前記複数の着目点の空間分布と前記複数の難読化データ点の空間分布とが実質的に類似するように生成される、請求項１に記載の方法。
【請求項３】
前記難読化されたテンプレート内のどの点が前記着目点であるかの記録を破棄することをさらに含む、請求項１に記載の方法。
【請求項４】
前記複数の着目点のうちの１つ以上は、前記複数の着目点のうちの１つ以上によってタグ付けされており、前記キーを生成しエンコードすることは、前記タグ付けされた難読化データ点および前記タグ付けされた着目点のうちの少なくとも１つの部分集合を用いて、前記キーを生成しエンコードすることを含む、請求項１に記載の方法。
【請求項５】
前記タグ付けされた難読化データ点の数は、前記タグ付けされた着目点の数よりも大きい、請求項４に記載の方法。
【請求項６】
前記部分集合内の各点は、前記複数の着目点のうちの異なる１つに基づいて決定される、請求項１に記載の方法。
【請求項７】
前記画像は、眼の領域の画像を含み、各眼領域画像は、それぞれの眼領域の血管系のビューを含み、前記着目点は、血管の着目点を含む、請求項１に記載の方法。
【請求項８】
１つ以上の実記述子を各着目点に関連付けることをさらに含み、各実記述子は、対応する着目点を包囲する１つ以上の局所を記述する、請求項１に記載の方法。
【請求項９】
１つ以上の合成記述子を各難読化データ点に関連付けることをさらに含み、各合成記述子は、前記実記述子との統計的類似性を含む、請求項８に記載の方法。
【請求項１０】
１つ以上の第２の画像を受信することと、
前記受信された第２の画像に基づいて、第２の複数の着目点を識別することと、
前記第２の複数の着目点に基づいて、確認テンプレートを作成することと、
前記確認テンプレートと前記難読化されたテンプレートとを比較することにより、複数の一致している着目点を識別することと、
前記複数の一致している着目点に基づいて、ユーザを認証することと
をさらに含む、請求項９に記載の方法。
【請求項１１】
前記比較することは、前記実記述子および前記合成記述子のうちの１つ以上に基づいて、前記複数の一致している着目点を識別することを含む、請求項１０に記載の方法。
【請求項１２】
前記実記述子および前記合成記述子の次元性を低減させることをさらに含む、請求項１０に記載の方法。
【請求項１３】
前記比較することは、次元性を低減させられた１つ以上の記述子に基づいて、前記複数の一致している着目点を識別することを含む、請求項１０に記載の方法。
【請求項１４】
前記複数の一致している着目点の少なくとも部分集合に基づいて、キーをデコードすることをさらに含む、請求項１０に記載の方法。
【請求項１５】
各着目点は、複数の近傍タイルのうちのそれぞれのタイル内に配置される、請求項１に記載の方法。
【請求項１６】
１つ以上のコンピュータを備えているシステムであって、前記１つ以上のコンピュータは、
１つ以上の画像を受信することと、
前記受信された画像に基づいて、複数の着目点を識別することと、
前記複数の着目点に基づいて、複数の難読化データ点を生成することと、
前記複数の着目点のうちの１つ以上を用いて、前記複数の難読化データ点のうちの１つ以上にタグ付けすることであって、前記タグ付けすることは、前記複数の着目点のうちの１つをタグ付け関数への入力として提供することと、前記入力に応答して、タグ付けされるべき前記複数の難読化データ点のうちの１つを前記タグ付け関数からの出力として受信することとを含む、ことと、
前記タグ付けされた難読化データ点および前記複数の着目点のうちの少なくとも１つの部分集合を用いて、キーを生成しエンコードすることと、
前記複数の着目点および前記複数の難読化データ点に基づいて、難読化されたテンプレートを作成することと、
前記難読化されたテンプレートを記憶することと
を含む動作を行うようにプログラムされている、システム。
【請求項１７】
前記複数の難読化データ点は、前記複数の着目点の空間分布と前記複数の難読化データ点の空間分布とが実質的に類似するように生成される、請求項１６に記載のシステム。
【請求項１８】
前記動作は、前記難読化されたテンプレート内のどの点が前記着目点であるかの記録を
破棄することをさらに含む、請求項１６に記載のシステム。
【請求項１９】
前記複数の着目点のうちの１つ以上は、前記複数の着目点のうちの１つ以上によってタグ付けされており、前記キーを生成しエンコードすることは、前記タグ付けされた難読化データ点および前記タグ付けされた着目点のうちの少なくとも１つの部分集合を用いて、前記キーを生成しエンコードすることを含む、請求項１６に記載のシステム。
【請求項２０】
前記タグ付けされた難読化データ点の数は、前記タグ付けされた着目点の数よりも大きい、請求項１９に記載のシステム。
【請求項２１】
前記部分集合内の各点は、前記複数の着目点のうちの異なる１つに基づいて決定される、請求項１６に記載のシステム。
【請求項２２】
前記画像は、眼の領域の画像を含み、各眼領域画像は、それぞれの眼領域の血管系のビューを含み、前記着目点は、血管の着目点を含む、請求項１６に記載のシステム。
【請求項２３】
前記動作は、１つ以上の実記述子を各着目点に関連付けることをさらに含み、各実記述子は、対応する着目点を包囲する１つ以上の局所を記述する、請求項１６に記載のシステム。
【請求項２４】
前記動作は、１つ以上の合成記述子を各難読化データ点に関連付けることをさらに含み、各合成記述子は、前記実記述子との統計的類似性を含む、請求項２３に記載のシステム。
【請求項２５】
前記動作は、
１つ以上の第２の画像を受信することと、
前記受信された第２の画像に基づいて、第２の複数の着目点を識別することと、
前記第２の複数の着目点に基づいて、確認テンプレートを作成することと、
前記確認テンプレートと前記難読化されたテンプレートとを比較することにより、複数の一致している着目点を識別することと、
前記複数の一致している着目点に基づいて、ユーザを認証することと
をさらに含む、請求項２４に記載のシステム。
【請求項２６】
前記比較することは、前記実記述子および前記合成記述子のうちの１つ以上に基づいて、前記複数の一致している着目点を識別することを含む、請求項２５に記載のシステム。
【請求項２７】
前記動作は、前記実記述子および前記合成記述子の次元性を低減させることをさらに含む、請求項２５に記載のシステム。
【請求項２８】
前記比較することは、次元性を低減させられた１つ以上の記述子に基づいて、前記複数の一致している着目点を識別することを含む、請求項２５に記載のシステム。
【請求項２９】
前記動作は、前記複数の一致している着目点の少なくとも部分集合に基づいて、キーをデコードすることをさらに含む、請求項２５に記載のシステム。
【請求項３０】
各着目点は、複数の近傍タイルのうちのそれぞれのタイル内に配置される、請求項１６に記載のシステム。